(57)【要約】【課題】専用のキー等を備えなくとも、画像ミュート状態に切り換え可能なプロジェクターを提供する。【解決手段】プロジェクター１は、所定の入力操作に基づいて、複数の画像入力端子３０ａの中からいずれか１つを選択する画像入力選択部３１と、画像入力選択部３１が選択した一の画像入力端子以外の他の画像入力端子のいずれかに、画像信号が入力されているか否かを検出する第１の信号検出部（画像入力選択部３１、画像信号検出部３２、制御部２０）と、画像の投写が行われる画像投写状態と、画像の投写を停止する画像ミュート状態とを切り換える制御部２０と、を備え、一の画像入力端子に入力されている画像信号に基づく画像を投写している画像投写状態において、第１の信号検出部によって他の画像入力端子のいずれにも画像信号が入力されていないことが検出された場合に、所定の入力操作がなされると、制御部２０は、画像ミュート状態に切り換える。【選択図】図１
2010286638.tif 000002
【特許請求の範囲】
【請求項１】
画像信号が入力される複数の画像入力端子と、
入力操作がなされる入力操作部と、
前記入力操作部になされた所定の入力操作に基づいて、前記複数の画像入力端子の中か
らいずれか１つを選択する画像入力選択部と、
前記画像入力選択部が選択した一の画像入力端子に入力されている画像信号に基づく画
像を投写する画像投写部と、
前記複数の画像入力端子のうち、前記画像入力選択部が選択した前記一の画像入力端子
以外の他の画像入力端子のいずれかに、画像信号が入力されているか否かを検出する第１
の信号検出部と、
前記画像投写部により前記画像の投写が行われる画像投写状態と、前記画像投写部によ
る前記画像の投写を停止する画像ミュート状態とを切り換える制御部と、
を備え、
前記画像投写部が前記一の画像入力端子に入力されている前記画像信号に基づく画像を
投写している前記画像投写状態において、前記第１の信号検出部によって前記他の画像入
力端子のいずれにも画像信号が入力されていないことが検出された場合に、前記入力操作
部に前記所定の入力操作がなされると、前記制御部は、前記画像ミュート状態に切り換え
ることを特徴とするプロジェクター。
【請求項２】
請求項１に記載のプロジェクターであって、
前記画像入力選択部が選択している前記一の画像入力端子に、画像信号が入力されてい
るか否かを検出する第２の信号検出部をさらに有し、
前記画像ミュート状態において、前記第２の信号検出部によって前記一の画像入力端子
に画像信号が入力されていることが検出された場合に、前記入力操作部に前記所定の入力
操作がなされると、前記制御部は、前記一の画像入力端子に入力されている画像信号に基
づく画像を投写する画像投写状態に切り換えることを特徴とするプロジェクター。
【請求項３】
請求項２に記載のプロジェクターであって、
前記画像ミュート状態において、前記第２の信号検出部によって前記一の画像入力端子
に画像信号が入力されていないことが検出され、且つ、前記第１の信号検出部によって前
記他の画像入力端子のいずれかに画像信号が入力されていることが検出された場合に、前
記所定の入力操作がなされると、前記制御部は、前記他の画像入力端子のいずれか１つに
入力されている画像信号に基づく画像を投写する画像投写状態に切り換えることを特徴と
するプロジェクター。
【請求項４】
請求項２または３に記載のプロジェクターであって、
前記画像ミュート状態において、前記第２の信号検出部によって前記一の画像入力端子
に画像信号が入力されていないことが検出され、且つ、前記第１の信号検出部によって前
記他の画像入力端子のいずれにも画像信号が入力されていないことが検出された場合に、
前記所定の入力操作がなされると、前記制御部は、画像信号が入力されていない旨を表す
画像を画像投写部に投写させる画像投写状態に切り換えることを特徴とするプロジェクタ
ー。
【請求項５】
画像信号が入力される複数の画像入力端子と、入力操作がなされる入力操作部と、前記
入力操作部になされた所定の入力操作に基づいて、前記複数の画像入力端子の中からいず
れか１つを選択する画像入力選択部と、前記画像入力選択部が選択した一の画像入力端子
に入力されている画像信号に基づく画像を投写する画像投写部と、を備えたプロジェクタ
ーの制御方法であって、
前記画像投写部が前記一の画像入力端子に入力されている前記画像信号に基づく画像を
投写している画像投写状態において、前記入力操作部によって、前記所定の入力操作を受
け付ける入力操作受付ステップと、
前記入力操作受付ステップによって前記所定の入力操作が受け付けられると、前記複数
の画像入力端子のうち、前記画像入力選択部が選択した前記一の画像入力端子以外の他の
画像入力端子のいずれかに、画像信号が入力されているか否かを検出する第１の信号検出
ステップと、
前記第１の信号検出ステップによって前記他の画像入力端子のいずれにも画像信号が入
力されていないことが検出された場合に、前記画像投写部による前記画像の投写を停止す
る画像ミュート状態に切り換える制御ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、パーソナルコンピューター等の画像供給装置とプロジェクターとを接続してプレ
ゼンテーション等を行う際に、画像供給装置側でプレゼンテーション資料を切り換える操
作等を行うと、その切り換え操作中の画像がプロジェクターから投写されてしまい、視聴
者が不快に感じる場合があった。このように視聴者に投写画像を見せたくない場合に対応
するため、画像の投写を停止する画像ミュート状態に切り換え可能なプロジェクターが知
られている。しかし、画像ミュート状態に切り換えるための画像ミュートキーは、プロジ
ェクター本体には省略されることが多く、プロジェクターを遠隔操作するためのリモート
コントローラーのみに備えられていることが多かった。
【０００３】
特許文献１には、スライド式のレンズカバーを備えたプロジェクターであって、レンズ
カバーを閉じることによって、画像ミュート状態に切り換えるものが開示されている。
【先行技術文献】
【特許文献】
【０００４】
【特許文献１】特開２００７−２４０５５１号公報
【発明の概要】
【発明が解決しようとする課題】
【０００５】
しかしながら、特許文献１のプロジェクターでは、レンズカバーの機構や、レンズカバ
ーの開閉状態を検出する機構が必要となるため、製造コストが増加してしまうという問題
があった。また、レンズカバーの操作を行うと、プロジェクター本体が揺れ動いてしまう
場合もあった。よって、このようなレンズカバーや、専用の画像ミュートキーを備えなく
とも、画像ミュート状態に切り換えることができるプロジェクターが求められていた。
【課題を解決するための手段】
【０００６】
本発明は、上述の課題の少なくとも一部を解決するためになされたものであり、以下の
形態または適用例として実現することが可能である。
【０００７】
［適用例１］本適用例に係るプロジェクターは、画像信号が入力される複数の画像入力
端子と、入力操作がなされる入力操作部と、前記入力操作部になされた所定の入力操作に
基づいて、前記複数の画像入力端子の中からいずれか１つを選択する画像入力選択部と、
前記画像入力選択部が選択した一の画像入力端子に入力されている画像信号に基づく画像
を投写する画像投写部と、前記複数の画像入力端子のうち、前記画像入力選択部が選択し
た前記一の画像入力端子以外の他の画像入力端子のいずれかに、画像信号が入力されてい
るか否かを検出する第１の信号検出部と、前記画像投写部により前記画像の投写が行われ
る画像投写状態と、前記画像投写部による前記画像の投写を停止する画像ミュート状態と
を切り換える制御部と、を備え、前記画像投写部が前記一の画像入力端子に入力されてい
る前記画像信号に基づく画像を投写している前記画像投写状態において、前記第１の信号
検出部によって前記他の画像入力端子のいずれにも画像信号が入力されていないことが検
出された場合に、前記入力操作部に前記所定の入力操作がなされると、前記制御部は、前
記画像ミュート状態に切り換えることを特徴とする。
【０００８】
このようなプロジェクターによれば、画像入力選択部は、入力操作部になされた所定の
入力操作に基づいて、複数の画像入力端子の中からいずれか１つを選択する。画像投写部
は、画像入力選択部が選択した一の画像入力端子に入力されている画像信号に基づく画像
を投写する。第１の信号検出部は、一の画像入力端子以外の他の画像入力端子のいずれか
に、画像信号が入力されているか否かを検出する。制御部は、画像投写状態と、画像の投
写を停止する画像ミュート状態とを切り換える。そして、一の画像入力端子に入力されて
いる画像信号に基づく画像を投写している画像投写状態において、他の画像入力端子のい
ずれにも画像信号が入力されていない場合に、所定の入力操作がなされると、制御部は、
画像ミュート状態に切り換える。つまり、プロジェクターは、他の画像入力端子に画像信
号が入力されていない場合に、画像入力端子を選択するための所定の入力操作がなされる
と、画像ミュート状態となる。これにより、画像ミュート状態にするための専用のキー等
を備えなくとも、画像ミュート状態に切り換えることができるため、有益である。また、
専用のキー等を備える必要がないため、製造コストの増加を抑制することができる。
【０００９】
［適用例２］上記適用例に係るプロジェクターにおいて、前記画像入力選択部が選択し
ている前記一の画像入力端子に、画像信号が入力されているか否かを検出する第２の信号
検出部をさらに有し、前記画像ミュート状態において、前記第２の信号検出部によって前
記一の画像入力端子に画像信号が入力されていることが検出された場合に、前記入力操作
部に前記所定の入力操作がなされると、前記制御部は、前記一の画像入力端子に入力され
ている画像信号に基づく画像を投写する画像投写状態に切り換えることを特徴とする。
【００１０】
このようなプロジェクターによれば、第２の信号検出部は、画像入力選択部が選択して
いる一の画像入力端子に、画像信号が入力されているか否かを検出する。そして、画像ミ
ュート状態において、第２の信号検出部によって一の画像入力端子に画像信号が入力され
ていることが検出された場合に、所定の入力操作がなされると、制御部は、一の画像入力
端子に入力されている画像信号に基づく画像を投写する画像投写状態に切り換える。つま
り、プロジェクターは、画像ミュート状態で、一の画像入力端子に画像信号が入力されて
いる場合に、画像入力端子を選択するための所定の入力操作がなされると、画像ミュート
状態から一の画像入力端子に入力されている画像信号に基づく画像を投写する画像投写状
態に切り換わる。これにより、画像ミュート状態から画像投写状態に切り換えるための専
用のキー等を備えなくとも、所定の入力操作によって画像投写状態に切り換えることが可
能となる。即ち画像ミュート状態を解除するための専用のキー等を備える必要がないため
、有益である。
【００１１】
［適用例３］上記適用例に係るプロジェクターにおいて、前記画像ミュート状態におい
て、前記第２の信号検出部によって前記一の画像入力端子に画像信号が入力されていない
ことが検出され、且つ、前記第１の信号検出部によって前記他の画像入力端子のいずれか
に画像信号が入力されていることが検出された場合に、前記所定の入力操作がなされると
、前記制御部は、前記他の画像入力端子のいずれか１つに入力されている画像信号に基づ
く画像を投写する画像投写状態に切り換えることを特徴とする。
【００１２】
このようなプロジェクターによれば、画像ミュート状態において、一の画像入力端子に
画像信号が入力されておらず、且つ、他の画像入力端子に画像信号が入力されている場合
に、画像入力端子を選択するための所定の入力操作がなされると、画像ミュート状態から
他の画像入力端子に入力されている画像信号に基づく画像を投写する画像投写状態に切り
換わる。これにより、画像ミュート状態から画像投写状態に切り換えるための専用のキー
等を備えなくとも、画像投写状態に切り換えることができるため、有益である。また、他
の画像入力端子に入力されている画像信号を検出して画像の投写を行うことができるため
、有益である。
【００１３】
［適用例４］上記適用例に係るプロジェクターにおいて、前記画像ミュート状態におい
て、前記第２の信号検出部によって前記一の画像入力端子に画像信号が入力されていない
ことが検出され、且つ、前記第１の信号検出部によって前記他の画像入力端子のいずれに
も画像信号が入力されていないことが検出された場合に、前記所定の入力操作がなされる
と、前記制御部は、画像信号が入力されていない旨を表す画像を画像投写部に投写させる
画像投写状態に切り換えることを特徴とする。
【００１４】
このようなプロジェクターによれば、画像ミュート状態において、一の画像入力端子に
画像信号が入力されておらず、且つ、他の画像入力端子にも画像信号が入力されていない
場合に、画像入力端子を選択するための所定の入力操作がなされると、画像ミュート状態
から画像信号が入力されていない旨を表す画像（以降、「信号未入力画像」と呼ぶ）を投
写する画像投写状態に切り換わる。これにより、画像ミュート状態から画像投写状態に切
り換えるための専用のキー等を備えなくとも、画像投写状態に切り換えることができるた
め、有益である。また、投写するための画像信号が入力されていない旨をユーザーに認識
させることができるため、有益である。
【００１５】
［適用例５］本実施形態に係るプロジェクターの制御方法は、画像信号が入力される複
数の画像入力端子と、入力操作がなされる入力操作部と、前記入力操作部になされた所定
の入力操作に基づいて、前記複数の画像入力端子の中からいずれか１つを選択する画像入
力選択部と、前記画像入力選択部が選択した一の画像入力端子に入力されている画像信号
に基づく画像を投写する画像投写部と、を備えたプロジェクターの制御方法であって、前
記画像投写部が前記一の画像入力端子に入力されている前記画像信号に基づく画像を投写
している画像投写状態において、前記入力操作部によって、前記所定の入力操作を受け付
ける入力操作受付ステップと、前記入力操作受付ステップによって前記所定の入力操作が
受け付けられると、前記複数の画像入力端子のうち、前記画像入力選択部が選択した前記
一の画像入力端子以外の他の画像入力端子のいずれかに、画像信号が入力されているか否
かを検出する第１の信号検出ステップと、前記第１の信号検出ステップによって前記他の
画像入力端子のいずれにも画像信号が入力されていないことが検出された場合に、前記画
像投写部による前記画像の投写を停止する画像ミュート状態に切り換える制御ステップと
、を備えることを特徴とする。
【００１６】
このようなプロジェクターの制御方法によれば、画像入力端子を選択するための所定の
入力操作が受け付けられた際に、他の画像入力端子に画像信号が入力されていなければ、
画像ミュート状態となる。これにより、画像ミュート状態にするための専用のキー等を備
えなくとも、画像ミュート状態に切り換えることができるため、有益である。
【００１７】
また、上述したプロジェクターおよびその制御方法がプロジェクターに備えられたコン
ピューターを用いて構築されている場合には、上記形態および上記適用例は、その機能を
実現するためのプログラム、あるいは当該プログラムを前記コンピューターで読み取り可
能に記録した記録媒体等の態様で構成することも可能である。記録媒体としては、フレキ
シブルディスクやハードディスク、ＣＤ−ＲＯＭ（Compact Disk Read Only Memory）、
ＤＶＤ（Digital Versatile Disk）、光磁気ディスク、不揮発性メモリーカード、プロジ
ェクターの内部記憶装置（ＲＡＭ（Random Access Memory）やＲＯＭ（Read Only Memory
）等の半導体メモリー）、及び外部記憶装置（ＵＳＢ（Universal Serial Bus）メモリー
等）等、前記コンピューターが読み取り可能な種々の媒体を利用することができる。
【図面の簡単な説明】
【００１８】
【図１】実施形態に係るプロジェクターの概略構成を示すブロック図。
【図２】プロジェクターの状態遷移図。
【図３】プロジェクターの待機状態における処理のフローチャート。
【図４】プロジェクターの画像投写状態における処理のフローチャート。
【図５】プロジェクターの画像ミュート状態における処理のフローチャート。
【図６】信号未入力画像の説明図。
【発明を実施するための形態】
【００１９】
以下、実施形態について説明する。
【００２０】
（実施形態）
図１は、本実施形態に係るプロジェクターの概略構成を示すブロック図である。図１を
使用して、プロジェクター１の内部構成について説明する。
【００２１】
プロジェクター１は、画像投写部１０、制御部２０、入力操作部２１、光源制御部２２
、入力端子群３０、画像入力選択部３１、画像信号検出部３２、画像処理部３３、ＯＳＤ
処理部３４等を備えている。
【００２２】
画像投写部１０は、超高圧水銀ランプやメタルハライドランプ等の放電型光源や、ＬＥ
Ｄ（Light Emitting Diode）等の固体光源からなる光源１１と、光変調装置としての液晶
ライトバルブ１２と、投写光学系としての投写レンズ１３と、液晶ライトバルブ１２を駆
動するライトバルブ駆動部１４とを備えている。
【００２３】
液晶ライトバルブ１２は、一対の透明基板間に液晶が封入された透過型液晶パネル等に
よって構成される。ライトバルブ駆動部１４の駆動によって、液晶ライトバルブ１２の各
画素に画像信号に応じた駆動電圧が印加されると、各画素は、画像信号に応じた光透過率
で光源光を透過させる。
【００２４】
光源１１から射出された光は、この液晶ライトバルブ１２を透過することによって変調
され、変調後の光が投写レンズ１３によって投写されることにより、スクリーンＳＣ等に
画像信号に応じた画像が表示される。
【００２５】
制御部２０は、ＣＰＵ（Central Processing Unit）、各種データの一時記憶等に用い
られるＲＡＭ、および、マスクＲＯＭやフラッシュメモリー、ＦｅＲＡＭ（Ferroelectri
c RAM：強誘電体メモリー）等の不揮発性のメモリー等（いずれも図示せず）を備え、コ
ンピューターとして機能するものである。制御部２０は、ＣＰＵが不揮発性のメモリーに
記憶されている制御プログラムに従って動作することにより、プロジェクター１の動作を
統括制御する。
【００２６】
入力操作部２１は、プロジェクター１に対して各種指示を行うための複数のキー等を備
えている。入力操作部２１が備えるキーとしては、電源のオン／オフを行うための「電源
キー」や、画像入力端子を切り換えるための「入力切換キー」、各種設定を行うためのメ
ニュー画面の表示／非表示を切り換える「メニューキー」、メニュー画面におけるカーソ
ルの移動等に用いられる「カーソルキー」、各種設定を決定するための「決定キー」等が
ある。ユーザーが入力操作部２１を操作すると、入力操作部２１は、ユーザーの操作内容
に応じた操作信号を制御部２０に出力する。なお、入力操作部２１は、リモコン信号受信
部（図示せず）と遠隔操作が可能なリモートコントローラー（図示せず）を有した構成と
してもよい。この場合、リモートコントローラーは、ユーザーの操作内容に応じた赤外線
等の操作信号を発し、リモコン信号受信部がこれを受信して制御部２０に伝達する。
【００２７】
光源制御部２２は、制御部２０の指示に基づいて、光源１１に対する電力の供給と停止
とを制御し、光源１１の点灯および消灯を切り換える。
【００２８】
入力端子群３０は、ビデオ再生装置やパーソナルコンピューター、メモリーカード、Ｕ
ＳＢストレージ、デジタルカメラ等、図示しない外部の画像供給装置から、各種形式の画
像信号を入力可能な複数の画像入力端子３０ａを備えている。各画像入力端子３０ａに入
力された画像信号は、画像入力選択部３１に供給される。
【００２９】
画像入力選択部３１は、複数の画像入力端子３０ａのうち、制御部２０の指示に基づく
１つの画像入力端子３０ａを選択し、この画像入力端子３０ａに入力される画像信号を、
画像信号検出部３２および画像処理部３３に出力する。ユーザーが、入力操作部２１に備
わる入力切換キーを操作して所望の画像入力端子３０ａを指定すると、制御部２０は、こ
の画像入力端子３０ａに入力されている画像信号が、画像信号検出部３２および画像処理
部３３に出力されるよう、画像入力選択部３１に指示をする。以降、画像入力選択部３１
が選択した画像入力端子３０ａを「画像入力端子３０ｓ」と呼ぶ。また、画像入力選択部
３１が選択した画像入力端子３０ｓ以外の他の画像入力端子３０ａを「他の画像入力端子
３０ｔ」と呼ぶ。なお、画像入力端子３０ｓが一の画像入力端子に相当し、他の画像入力
端子３０ｔが他の画像入力端子に相当する。
【００３０】
画像信号検出部３２は、制御部２０の指示に基づいて、画像入力選択部３１から入力さ
れる画像信号の有無を検出し、画像入力選択部３１が選択した画像入力端子３０ｓに画像
信号が入力されているか否かを検出する。そして、検出結果を制御部２０に通知する。
【００３１】
画像処理部３３は、画像入力選択部３１から入力される画像信号を、液晶ライトバルブ
１２の各画素の階調を表す画像データに変換する。ここで、変換された画像データは、液
晶ライトバルブ１２のすべての画素に対応する複数の画素値によって構成されている。画
素値とは、対応する画素の光透過率を定めるものであり、この画素値によって、各画素か
ら射出する光の強弱（階調）が規定される。また、画像処理部３３は、制御部２０の指示
に基づき、変換した画像データに対して、明るさ、コントラスト、シャープネス、色合い
等を調整するための画質調整処理等を行い、処理後の画像データをＯＳＤ処理部３４に出
力する。
【００３２】
さらに、画像処理部３３は、制御部２０の指示に基づいて、すべての画素の光透過率が
最小となるように、すべての画素値を最小値（０）に設定する処理を行うことができる。
この場合、ＯＳＤ処理部３４には、すべての画素値が０に設定された画像データ、即ち黒
色の無地画像（以降、「ミュート画像」とも呼ぶ）を表す画像データが出力される。この
ように、画像処理部３３は、入力された画像信号に基づく画像（以降、「入力画像」とも
呼ぶ）を表す画像データを出力する状態と、ミュート画像を表す画像データを出力する状
態とを、制御部２０の指示の応じて切り換えることができる。
【００３３】
ＯＳＤ処理部３４は、制御部２０の指示に基づいて、メニュー画面やメッセージ画面等
のＯＳＤ（オンスクリーンディスプレイ）画像を、画像処理部３３から入力される画像デ
ータに重畳する処理を行う。ＯＳＤ処理部３４は、図示しないＯＳＤメモリーを備えてお
り、ＯＳＤ画像を形成するための図形やフォント等を表すＯＳＤ画像データを記憶してい
る。制御部２０が、ＯＳＤ画像の重畳を指示すると、ＯＳＤ処理部３４は、必要なＯＳＤ
画像データをＯＳＤメモリーから読み出し、入力画像の所定の位置にＯＳＤ画像が重畳さ
れるように、画像処理部３３から入力される画像データにこのＯＳＤ画像データを合成す
る。ＯＳＤ画像データが合成された画像データは、ライトバルブ駆動部１４に出力される
。なお、制御部２０からＯＳＤ画像を重畳する旨の指示がない場合には、ＯＳＤ処理部３
４は、画像処理部３３から出力される画像データを、そのままライトバルブ駆動部１４に
出力する。
【００３４】
ライトバルブ駆動部１４が、ＯＳＤ処理部３４から入力される画像データに従って液晶
ライトバルブ１２を駆動すると、液晶ライトバルブ１２は、画像データに応じた画像を形
成し、この画像が投写レンズ１３から投写される。
【００３５】
次に、プロジェクター１の状態遷移について説明する。図２は、本実施形態に係るプロ
ジェクター１の状態遷移図である。図２に示すように、プロジェクター１は、待機状態Ｓ
Ｔ１０、画像投写状態ＳＴ１１、および画像ミュート状態ＳＴ１２に遷移可能となってい
る。
【００３６】
プロジェクター１は、外部からＡＣ１００Ｖ等の商用電源が供給されると、待機状態Ｓ
Ｔ１０となる。待機状態ＳＴ１０は、プロジェクター１が、電源オン操作が行われるのを
待機している状態である。待機状態ＳＴ１０において、電源オン操作が行われると、画像
投写状態ＳＴ１１に遷移する。
【００３７】
画像投写状態ＳＴ１１は、プロジェクター１が、入力された画像信号に基づく画像を投
写している状態である。画像投写状態ＳＴ１１において、画像入力選択部３１が選択して
いる画像入力端子３０ｓ以外の他の画像入力端子３０ｔのいずれにも画像信号が入力され
ていない場合に、入力切換操作、即ち入力操作部２１に備わる入力切換キーが押下される
と、プロジェクター１は、画像ミュート状態ＳＴ１２に遷移する。画像入力端子３０ｓ以
外の他の画像入力端子３０ｔのいずれかに画像信号が入力されている場合に、入力切換操
作が行われると、プロジェクター１は、画像入力端子を切り換える。また、画像投写状態
ＳＴ１１において、電源オフ操作が行われた場合、プロジェクター１は、待機状態ＳＴ１
０に遷移する。本実施形態では、入力切換操作が所定の入力操作に相当する。
【００３８】
画像ミュート状態ＳＴ１２は、プロジェクター１が、画像の投写を停止している状態で
ある。本実施形態では、画像ミュート状態ＳＴ１２では、制御部２０が画像処理部３３に
指示をして、入力された画像信号に基づく画像データの代わりに、ミュート画像、即ち黒
色の無地画像の画像データを出力して、画像投写部１０に投写させる。画像ミュート状態
ＳＴ１２において、入力切換操作が行われた場合、プロジェクター１は、画像投写状態Ｓ
Ｔ１１に遷移する。また、画像ミュート状態ＳＴ１２において、電源オフ操作が行われた
場合、プロジェクター１は、待機状態ＳＴ１０に遷移する。
【００３９】
次に、プロジェクター１の各状態における処理と状態遷移について説明する。
図３は、プロジェクター１の待機状態ＳＴ１０における処理のフローチャートである。
【００４０】
待機状態ＳＴ１０において、制御部２０は、入力操作部２１に備わる電源キーが押下さ
れ、電源オン操作が行われたか否かを判断する（ステップＳ１０１）。電源オン操作が行
われていない場合（ステップＳ１０１：ＮＯ）、ステップＳ１０１をループして、電源オ
ン操作が行われるのを待ち続ける。
【００４１】
電源オン操作が行われた場合（ステップＳ１０１：ＹＥＳ）、制御部２０は、初期処理
を行う（ステップＳ１０２）。本実施形態では、初期処理は、ＣＰＵの初期化やＲＡＭ等
のメモリーの初期化を行う。また、その他のソフトウェアやハードウェアの初期化等も行
われる。このとき、画像入力選択部３１は、制御部２０の指示に基づいて１つの画像入力
端子３０ｓを選択する。選択される画像入力端子３０ｓは、所定の画像入力端子としても
よいし、前回、プロジェクター１が電源オフされた際に画像入力選択部３１が選択してい
た画像入力端子としてもよい。次に、制御部２０は、光源制御部２２に指示を出して、光
源１１を点灯させる（ステップＳ１０３）。
【００４２】
制御部２０は、画像処理部３３に指示を出して、画像入力端子３０ｓから入力される画
像信号に基づく画像の投写を開始させる（ステップＳ１０４）。そして、制御部２０は、
プロジェクター１を画像投写状態ＳＴ１１に遷移させる（ステップＳ１０５）。そして、
待機状態ＳＴ１０におけるプロジェクター１の処理を終了する。
【００４３】
次に、画像投写状態ＳＴ１１における処理と状態遷移について説明する。
図４は、プロジェクター１の画像投写状態ＳＴ１１における処理のフローチャートであ
る。
【００４４】
画像投写状態ＳＴ１１において、制御部２０は、入力操作部２１に備わる入力切換キー
が押下され、入力切換操作が行われたか否かを判断する（ステップＳ２０１）。
【００４５】
入力切換操作が行われていれば（ステップＳ２０１：ＹＥＳ）、制御部２０は、画像入
力選択部３１および画像信号検出部３２に指示を出して、現在、画像入力選択部３１が選
択している画像入力端子３０ｓ以外の他の画像入力端子３０ｔに、画像信号が入力されて
いるか否かを検出させる（ステップＳ２０２）。具体的には、制御部２０は、画像入力選
択部３１に画像入力端子を切り換えさせて、画像信号検出部３２に画像入力選択部３１か
ら入力される画像信号の有無を検出させる。そして、制御部２０は、画像信号検出部３２
から、その検出結果を入力する。このような処理（以降、「信号検索処理」と呼ぶ）を繰
り返すことで、制御部２０は、他の画像入力端子３０ｔに画像信号が入力されているか否
かを検出することができる。このときの制御部２０、画像入力選択部３１および画像信号
検出部３２が、第１の信号検出部に相当する。
【００４６】
他の画像入力端子３０ｔに画像信号が入力されていれば（ステップＳ２０２：ＹＥＳ）
、制御部２０は、画像入力選択部３１に指示を出して、画像信号が入力されている他の画
像入力端子３０ｔを選択させる（ステップＳ２０３）。そして、ステップＳ２０１に移行
する。このとき、画像入力選択部３１が選択する他の画像入力端子３０ｔは、前記信号検
索処理によって、最初に画像信号が検出された画像入力端子とする。これにより、画像入
力端子の入力切換が行われて、他の画像入力端子３０ｔに入力されている画像信号に基づ
いた画像が、画像投写部１０から投写される。なお、画像入力選択部３１が選択する他の
画像入力端子３０ｔは、前記信号検索処理によって、最初に画像信号が検出された画像入
力端子としたが、これに限定するものではない。
【００４７】
他の画像入力端子３０ｔに画像信号が入力されていなければ（ステップＳ２０２：ＮＯ
）、制御部２０は、画像処理部３３に指示を出して、画像信号に基づく画像の投写を停止
させる（ステップＳ２０４）。そして、制御部２０は、画像処理部３３に指示を出して、
ミュート画像、即ち黒色の無地画像の投写を開始させる（ステップＳ２０５）。そして、
制御部２０は、プロジェクター１を画像ミュート状態ＳＴ１２に遷移させる（ステップＳ
２０６）。そして、画像投写状態ＳＴ１１におけるプロジェクター１の処理を終了する。
【００４８】
入力切換操作が行われていなければ（ステップＳ２０１：ＮＯ）、制御部２０は、入力
操作部２１に備わる電源キーが押下され、電源オフ操作が行われたか否かを判断する（ス
テップＳ２０７）。電源オフ操作が行われていた場合（ステップＳ２０７：ＹＥＳ）、制
御部２０は、画像処理部３３に指示を出して、画像の投写を停止させる（ステップＳ２０
８）。次に、制御部２０は、光源制御部２２に指示を出して、光源１１を消灯させる（ス
テップＳ２０９）。
【００４９】
制御部２０は、電源オフ処理を行う（ステップＳ２１０）。本実施形態では、電源オフ
処理は、プロジェクター１の電源オフに伴って行われる処理を示し、電源オフに対応した
ソフトウェアやハードウェアの処理等を含む。そして、制御部２０は、プロジェクター１
を待機状態ＳＴ１０に遷移させる（ステップＳ２１１）。そして、画像投写状態ＳＴ１１
におけるプロジェクター１の処理を終了する。
【００５０】
電源オフ操作が行われていなければ（ステップＳ２０７：ＮＯ）、制御部２０は、その
他の操作が行われたか否かを判断する（ステップＳ２１２）。その他の操作が行われてい
れば（ステップＳ２１２：ＹＥＳ）、制御部２０は、その他の操作に対応した処理を行う
（ステップＳ２１３）。そして、ステップＳ２０１に移行する。ここで、その他の操作と
は、プロジェクター１の入力操作部２１に備わる各種キーの操作を示すが、説明は省略す
る。
【００５１】
その他の操作が行われていなければ（ステップＳ２１２：ＮＯ）、ステップＳ２０１に
移行する。
【００５２】
次に、画像ミュート状態ＳＴ１２における処理と状態遷移について説明する。
図５は、プロジェクター１の画像ミュート状態ＳＴ１２における処理のフローチャート
である。
【００５３】
画像ミュート状態ＳＴ１２において、制御部２０は、入力切換操作が行われたか否かを
判断する（ステップＳ３０１）。入力切換操作が行われていれば（ステップＳ３０１：Ｙ
ＥＳ）、制御部２０は、画像処理部３３に指示を出してミュート画像の投写を停止させる
（ステップＳ３０２）。
【００５４】
制御部２０は、画像入力選択部３１および画像信号検出部３２に指示を出して、現在、
画像入力選択部３１が選択している画像入力端子３０ｓに、画像信号が入力されているか
否かを検出させる（ステップＳ３０３）。具体的には、制御部２０は、画像信号検出部３
２に画像入力選択部３１から入力される画像信号の有無を検出させる。そして、画像信号
検出部３２は、その検出結果を制御部２０に出力する。これにより、制御部２０は、選択
されている画像入力端子３０ｓに画像信号が入力されているか否かを検出することができ
る。このときの制御部２０、画像入力選択部３１、および画像信号検出部３２が、第２の
信号検出部に相当する。
【００５５】
選択されている画像入力端子３０ｓに画像信号が入力されていた場合（ステップＳ３０
３：ＹＥＳ）。制御部２０は、画像処理部３３に指示を出して、選択されている画像入力
端子３０ｓの画像信号に基づく画像の投写を開始させる（ステップＳ３０４）。そして、
制御部２０は、プロジェクター１を画像投写状態ＳＴ１１に遷移させる（ステップＳ３０
５）。そして、画像ミュート状態ＳＴ１２におけるプロジェクター１の処理を終了する。
【００５６】
画像入力選択部３１が選択している画像入力端子３０ｓに、画像信号が入力されていな
い場合（ステップＳ３０３：ＮＯ）、制御部２０は、画像入力選択部３１および画像信号
検出部３２に指示を出して、画像入力選択部３１が選択している画像入力端子３０ｓ以外
の他の画像入力端子３０ｔに画像信号が入力されているか否かを検出させる（ステップＳ
３０６）。
【００５７】
他の画像入力端子３０ｔに画像信号が入力されていれば（ステップＳ３０６：ＹＥＳ）
、制御部２０は、画像入力選択部３１に指示を出して、画像信号が入力されている他の画
像入力端子３０ｔを選択させる。そして、制御部２０は、画像処理部３３に指示を出して
、他の画像入力端子３０ｔに入力されている画像信号に基づいた画像の投写を開始させる
（ステップＳ３０７）。このとき、画像入力選択部３１が選択する他の画像入力端子３０
ｔは、前述した信号検索処理によって、最初に画像信号が検出された画像入力端子とする
。なお、画像入力選択部３１が選択する他の画像入力端子３０ｔは、これに限定するもの
ではない。
【００５８】
そして、制御部２０は、プロジェクター１を画像投写状態ＳＴ１１に遷移させる（ステ
ップＳ３０５）。そして、画像ミュート状態ＳＴ１２におけるプロジェクター１の処理を
終了する。
【００５９】
他の画像入力端子３０ｔに画像信号が入力されていなければ（ステップＳ３０６：ＮＯ
）、制御部２０は、ＯＳＤ処理部３４に指示を出して、画像信号が入力されていない旨を
表す信号未入力画像の投写を開始させる（ステップＳ３０８）。このとき、画像入力選択
部３１が選択している画像入力端子３０ｓは変更しないものとする。そして、制御部２０
は、プロジェクター１を画像投写状態ＳＴ１１に遷移させる（ステップＳ３０５）。そし
て、画像ミュート状態ＳＴ１２におけるプロジェクター１の処理を終了する。
【００６０】
図６は、信号未入力画像Ｇ１の説明図である。図６に示すように、信号未入力画像Ｇ１
はＯＳＤ画像であり、ＯＳＤメモリーにＯＳＤ画像データとして記憶されている。信号未
入力画像Ｇ１の画面の下側には、「画像信号が入力されていません。」という文字列が表
示されている。なお、図を用いた説明は省略するが、信号未入力画像Ｇ１が投写されてい
る画像投写状態ＳＴ１１において、画像入力選択部３１が選択している画像入力端子３０
ｓに画像信号が入力されると、制御部２０は、ＯＳＤ処理部３４に指示を出して、信号未
入力画像Ｇ１の投写を終了させる。そして、制御部２０は、画像処理部３３に指示を出し
て、画像入力端子３０ｓに入力されている画像信号に基づく画像の投写を開始させる。
【００６１】
図５に戻り、入力切換操作が行われていなければ（ステップＳ３０１：ＮＯ）、制御部
２０は、電源オフ操作が行われたか否かを判断する（ステップＳ３０９）。電源オフ操作
が行われていた場合（ステップＳ３０９：ＹＥＳ）、制御部２０は、画像処理部３３に指
示を出して、ミュート画像の投写を停止させる（ステップＳ３１０）。次に、制御部２０
は、光源制御部２２に指示を出して、光源１１を消灯させる（ステップＳ３１１）。
【００６２】
制御部２０は、電源オフ処理を行う（ステップＳ３１２）。そして、制御部２０は、プ
ロジェクター１を待機状態ＳＴ１０に遷移させる（ステップＳ３１３）。そして、画像ミ
ュート状態ＳＴ１２におけるプロジェクター１の処理を終了する。
【００６３】
電源オフ操作が行われていなければ（ステップＳ３０９：ＮＯ）、制御部２０は、その
他の操作が行われたか否かを判断する（ステップＳ３１４）。その他の操作が行われてい
れば（ステップＳ３１４：ＹＥＳ）、制御部２０は、その他の操作に対応した処理を行う
（ステップＳ３１５）。そして、ステップＳ３０１に移行する。
【００６４】
その他の操作が行われていなければ（ステップＳ３１４：ＮＯ）、ステップＳ３０１に
移行する。
【００６５】
上述したように、プロジェクター１は、待機状態ＳＴ１０と、画像投写状態ＳＴ１１と
、画像ミュート状態ＳＴ１２との間で遷移することができる。
【００６６】
上述した実施形態によれば、以下の効果が得られる。
（１）プロジェクター１は、画像投写状態ＳＴ１１において、画像入力選択部３１が選
択している画像入力端子３０ｓ以外の他の画像入力端子３０ｔに画像信号が入力されてい
ない場合に、ユーザーによって入力切換操作が行われると、入力画像の投写を停止してミ
ュート画像を投写する画像ミュート状態ＳＴ１２に遷移する。これにより、画像投写状態
ＳＴ１１から画像ミュート状態ＳＴ１２に切り換えるための専用のキー等（画像ミュート
キーやレンズカバー等）を備えなくとも、入力操作部２１に備わる入力切換キーによって
画像ミュート状態ＳＴ１２に切り換えることができるため、有益である。また、プロジェ
クター１は、専用のキー等を備える必要がないため、製造コストの増加を抑制することが
できる。
【００６７】
（２）プロジェクター１は、画像ミュート状態ＳＴ１２において、画像入力選択部３１
が選択している画像入力端子３０ｓに画像信号が入力されている場合に、ユーザーによっ
て入力切換操作が行われると、画像入力端子３０ｓの画像信号に基づいた画像を投写する
画像投写状態ＳＴ１１に遷移する。これにより、画像ミュート状態ＳＴ１２から画像投写
状態ＳＴ１１に切り換えるための専用のキー等を備えなくとも、画像投写状態ＳＴ１１に
切り換えることが可能となる。つまり、入力切換キーによって画像ミュート状態ＳＴ１２
を解除することができるため、有益である。
【００６８】
（３）プロジェクター１は、画像ミュート状態ＳＴ１２において、画像入力選択部３１
が選択している画像入力端子３０ｓに画像信号が入力されておらず、且つ、他の画像入力
端子３０ｔに画像信号が入力されている場合に、ユーザーによって入力切換操作が行われ
ると、他の画像入力端子３０ｔの画像信号に基づいた画像を投写する画像投写状態ＳＴ１
１に遷移する。これにより、画像ミュート状態ＳＴ１２から画像投写状態ＳＴ１１に切り
換えるための専用のキー等を備えなくとも、画像投写状態ＳＴ１１に切り換えることが可
能となる。つまり、入力切換キーによって画像ミュート状態ＳＴ１２を解除することがで
きるため、有益である。また、画像入力端子３０ｓに画像信号が入力されていなくても、
他の画像入力端子３０ｔに入力されている画像信号を検索して、その画像信号に基づく画
像の投写を行うため、有益である。例えば、画像ミュート状態ＳＴ１２において、ユーザ
ーが、プロジェクター１に画像信号を供給する画像供給装置を変更し、接続する画像入力
端子を画像入力端子３０ｓから他の画像入力端子３０ｔに変更して画像ミュート状態ＳＴ
１２を解除した場合などに、直ちに他の画像入力端子３０ｔに入力されている画像信号に
基づく画像を投写することができるため、利便性が高い。
【００６９】
（４）プロジェクター１は、画像ミュート状態ＳＴ１２において、画像入力選択部３１
が選択している画像入力端子３０ｓに画像信号が入力されておらず、且つ、他の画像入力
端子３０ｔにも画像信号が入力されていない場合に、ユーザーによって入力切換操作が行
われると、信号未入力画像を投写する画像投写状態ＳＴ１１に遷移する。これにより、画
像ミュート状態ＳＴ１２から画像投写状態ＳＴ１１に切り換えるための専用のキー等を備
えなくとも、画像投写状態ＳＴ１１に切り換えることが可能となる。つまり、入力切換キ
ーによって画像ミュート状態ＳＴ１２を解除することができるため、有益である。また、
投写するための画像信号が入力されていない旨をユーザーに認識させることができるため
、有益である。
【００７０】
なお、上述した実施形態に限定されず、種々の変更や改良等を加えて実施することが可
能である。変形例を以下に述べる。
【００７１】
（変形例１）上記実施形態では、画像ミュート状態ＳＴ１２において、信号未入力画像
、即ち黒色の無地画像を表示するようにしているが、画像ミュート状態ＳＴ１２のときに
表示すべき画像は、黒色にも無地にも限定されず、入力画像が不可視（非表示）にさえな
れば、いかなる画像を用いてもよい。
【００７２】
（変形例２）上記実施形態では、画像ミュート状態ＳＴ１２において、光源１１を点灯
しているが、画像ミュート状態ＳＴ１２のときには、光源１１を消灯してもよい。
【００７３】
（変形例３）上記実施形態では、光変調装置として、透過型の液晶ライトバルブ１２を
用いているが、反射型の液晶ライトバルブ等、反射型の光変調装置を用いることも可能で
ある。また、入射した光の射出方向を、画素としてのマイクロミラー毎に制御することに
より、光源から射出した光を変調する微小ミラーアレイデバイス等を用いることもできる
。
【符号の説明】
【００７４】
１…プロジェクター、１０…画像投写部、１１…光源、１２…液晶ライトバルブ、１３
…投写レンズ、１４…ライトバルブ駆動部、２０…制御部、２１…入力操作部、２２…光
源制御部、３０…入力端子群、３０ａ…画像入力端子、３１…画像入力選択部、３２…画
像信号検出部、３３…画像処理部、３４…ＯＳＤ処理部。
【図１】
2010286638.tif 000003
【図２】
2010286638.tif 000004
【図３】
2010286638.tif 000005
【図４】
2010286638.tif 000006
【図５】
2010286638.tif 000007
【図６】
2010286638.tif 000008